(57)【要約】      （修正有）【課題】踏まれた力が踏み応力を直線に沿って伝わらないように止んで、支持本体の変形や破壊などを防止することができる二重床を提供する。【解決手段】支持本体１０と、カバーとを有し、該支持本体は、底部に複数の支持凹部１２，１２’１２”が上方へ凹設され、該各支持凹部は、外周面に止め面及び弧面が設けられ、上部に支え部１４が設けられ、また、それら支持凹部は、同心の環状のように、それぞれ交互に配列され、最も内側における支持凹部の止め面がそれぞれ内側に面し、最も外側における支持凹部の止め面がそれぞれ外側に面し、外側と内側との間に介在する支持凹部の止め面がそれぞれ、隣の他の同心の環状に配置される支持凹部との隙間、或いは、弧面に面し、該カバーは、該支え部の上部と接するように、支持本体の上面に設置されるものである。【選択図】図１
0003175777.tif 000002
【実用新案登録請求の範囲】
【請求項１】
上部に形成される開口と、底部に上方に向かって凹設される複数の支持凹部と、該各支持凹部の上部に設けられる支え部とを備える支持本体と、前記支え部の上部と接するように、前記支持本体の上面に設置されるカバーとを有し、
前記各支持凹部は、外周面に設けられる少なくとも１つの止め面及び弧面とを有すると共に、前記複数の支持凹部は、同心の環状のように、それぞれ交互に配置され、最も内側に同心の環状に配置される支持凹部における止め面がそれぞれ内側に面し、最も外側に同心の環状に配置される支持凹部における止め面がそれぞれ外側に面し、外側と内側との間に介在する同心の環状に配置される支持凹部における止め面がそれぞれ、隣の他の同心の環状に配置される支持凹部との隙間、或いは、弧面に面することを特徴とする二重床。
【請求項２】
前記支持凹部は、外周面に２つの止め面が設けられることを特徴とする請求項１に記載の二重床。
【請求項３】
前記支持凹部は、外周面に３つの止め面が設けられることを特徴とする請求項１に記載の二重床。
【考案の詳細な説明】
【技術分野】
【０００１】
本考案は、特に支持本体の底面に、複数の止め面を備える複数の凹部が設けられ、それら凹部の止め面によって、踏まれた力が直線に沿って伝わらないように止んで、支持本体の変形や破壊などを防止することができる二重床に関するものである。
【背景技術】
【０００２】
二重床は、一般に、オフィスやコンピュータ室などコンピュータやプリンタなどの配線が多い場所に、それら配線を隠して美観を向上させるために、床の上に、別の床を設け、二重床の間に配線できるものであり、配線を修理する時は、上の床を取り外して内部の配線の本数を増減させたりすると共に、修理することも簡単に行われる。
【０００３】
既存の二重床、例えば台湾の実用新型第Ｍ３８８５４２号における「合金鋼からなる二重床」は、複数の敷設プレートを配置して構成され、各敷設プレートは、底面中央に複数の円形凹部が形成され、底面縁部に複数の角丸矩形凹部が形成され、それら円形凹部及び角丸矩形凹部がそれぞれ直線に沿って配置されることから、敷設プレートの縁部を支えることができ、踏む力に対して抵抗できる。
【考案の概要】
【考案が解決しようとする課題】
【０００４】
しかしながら、それら円形凹部及び角丸矩形凹部がそれぞれ直線に沿って配置されることで、隣り合う凹部と凹部との間に形成した隙間も直線に敷設プレートを横断するため、敷設プレートが強い力で踏まれる、或いは、大きな荷重を受けた場合に、その応力が直線の隙間に伝わり敷設プレートを横断して変形や破壊させる虞れがあり、既存の二重床が受け止められる荷重には限度があった。
【課題を解決するための手段】
【０００５】
本考案に係る二重床は、上部に形成される開口と、底部に上方に向かって凹設される複数の支持凹部と、該各支持凹部の上部に設けられる支え部とを備える支持本体と、前記支え部の上部と接するように、前記支持本体の上面に設置されるカバーとを有し、前記各支持凹部は、外周面に設けられる少なくとも１つの止め面及び弧面とを有すると共に、前記複数の支持凹部は、同心の環状のように、それぞれ交互に配列され、最も内側に同心の環状に配置される支持凹部における止め面がそれぞれ内側に面し、最も外側に同心の環状に配置される支持凹部における止め面がそれぞれ外側に面し、外側と内側との間に介在する同心の環状に配置される支持凹部における止め面がそれぞれ、隣の他の同心の環状に配置される支持凹部との隙間、或いは、弧面に面するものである。
【０００６】
前記支持凹部は、外周面に２つの止め面が設けられてもよい。
【０００７】
前記支持凹部は、外周面に３つの止め面が設けられてもよい。
【考案の効果】
【０００８】
本考案に係る二重床は上記の如く、二重床のカバーが踏まれた時、踏み応力を支持本体の底部に分散すると共に、踏み応力が支持凹部の止め面に止まれて支持本体を横断しないことから、支持本体の変形や破壊などを防止することができる。
【図面の簡単な説明】
【０００９】
【図１】本考案に係る二重床における第一実施例の下面視斜視図である。
【図２】本考案に係る二重床における第一実施例の下面視分解斜視図である。
【図３】本考案に係る二重床の第一実施例における支持本体の底面図である。
【図４】本考案に係る二重床における第一実施例の断面図である。
【図５】本考案に係る二重床の第一実施例における踏み応力の分布状態を示す底面図である。
【図６】本考案に係る二重床の第二実施例における支持本体の底面図である。
【考案を実施するための形態】
【００１０】
以下、添付図面を参照して本考案の好適な実施の形態を詳細に説明する。尚、下記実施例は、本考案の好適な実施の形態を示したものに過ぎず、本考案の技術的範囲は、下記実施例そのものに何ら限定されるものではない。
【００１１】
図１及び図２に示すように、本考案に係る二重床における第一実施例は、支持本体１０及びカバー２０を有し、上記支持本体１０は、上部及び底部と、該底部の周囲に設けられる環状リブ１１と、上記底部に上方へ向かって凹設される複数の支持凹部１２、１２’、１２”とを備える。なお、上記支持本体１０における上部は、開口が形成されてもよく、底部と一体に形成されるプレートが設けられてもよい（図４に示す如く）。
【００１２】
また、上記環状リブ１１は、上記支持本体１０の底部における周囲の辺縁に設けられると共に、上記支持本体１０の底部に下方へ向かって凸設される中空の細長リブであり、上記複数の支持凹部１２、１２’、１２”は、上記環状リブ１１の内部に位置すると共に、同心の環状のように、それぞれ交互に配置されており、上記支持凹部１２、１２’、１２”の上部には支え部１４が設けられ、該各支え部１４と対応するように、その上部及び底部を貫通する貫通孔が形成されている。
【００１３】
図２及び図４に示す如く、上記カバー２０は、上記複数の支え部１４の上部と接するように、上記支持本体１０の上面に設置されており、それぞれ上記複数の支え部１４と対応する箇所に、上記貫通孔と連通する少なくとも１つの孔部２１が形成されている。
【００１４】
上記支持凹部１２、１２’、１２”は、外周面と、この外周面に設けられる少なくとも１つの止め面１２１とを有し、例えば、上記支持凹部１２は、外周面に１つの止め面１２１及び１つの弧面１２２が設けられてもよく、上記支持凹面１２’は、外周面に対向する２つの止め面１２１が設けられてもよく、上記支持凹部１２”は、略三角形を呈し且つ外周面に３つの止め面１２１が設けられてもよい。
【００１５】
さらに、上記支持本体１０における、最も内側に同心の環状に配置される支持凹部１２における止め面１２１がそれぞれ内側に面し、最も外側に同心の環状に配置される支持凹部１２’、１２”における止め面１２１がそれぞれ外側に面し、外側と内側との間に介在する同心の環状に配置される支持凹部１２’、１２”における止め面１２１がそれぞれ隣り合う他の同心の環状に配置される支持凹部１２との隙間、或いは、弧面１２２に面している。
【００１６】
図４に示すように、本考案に係る二重床において、カバー２０が踏まれる時、その踏み応力をカバー２０と接する支持本体１０の支え部１４により分散させて支持本体１０の底部に伝えることができる。
【００１７】
図５に示すように、隣り合う支持凹部１２、１２’、１２”との間にそれぞれ隙間を有し、それら支持凹部１２、１２’、１２”の隙間を繋がって応力通路を構成し、また、それら支持凹部１２、１２’、１２”が同心の環状に交互に配置されるために、構成した応力通路が直線とならず湾曲状を呈することとなる。
【００１８】
その故、本考案に係る二重床において、カバー２０が踏まれた時、踏み応力が支え部１４を介して分散して支持本体１０の底部に伝わり支持凹部１２の周囲の応力通路に沿って伝送されるが、図５に示されたＡの如く、その応力は、付近の支持凹部１２、１２’、１２”の止め面１２１または弧面１２２に止まれ、隣り合う支持凹部１２、１２’、１２”との間に集まり、直線に沿って支持本体１０を横断することができないために、支持本体１０を変形や破壊させることを防止できる。
【００１９】
図６に示すように、本考案に係る二重床の第二実施例は、支持凹部１２、１２’、１２”が殆ど第一実施例と同一に配置され、異なるところは、支持本体１０における底部の一側に、配線出口１５が形成され、二重床を敷設する時、配線がこの配線出口１５を介してコンピュータなどの設備と連接できることにある。
【産業上の利用可能性】
【００２０】
本考案は上記の構成を有することから、二重床のカバー２０が踏まれる時、踏み応力を支持凹部１２の支え部１４を介して支持本体１０の底部に分散させると共に、踏み応力が支持凹部１２の止め面１２１に止まれて支持本体１０を横断しないことから、支持本体１０の変形や破壊などが防止され、もって丈夫な二重床を提供することができる。
【符号の説明】
【００２１】
１０…支持本体、
１１…環状リブ、
１２、１２’、１２”…支持凹部、
１２１…止め面、
１２２…弧面、
１４…支え部、
１５…配線出口、
２０…カバー、
２１…孔部。
【図１】
0003175777.tif 000003
【図２】
0003175777.tif 000004
【図３】
0003175777.tif 000005
【図４】
0003175777.tif 000006
【図５】
0003175777.tif 000007
【図６】
0003175777.tif 000008